(57)【特許請求の範囲】
【請求項１】
上ケース体ユニットと、
下ケース体ユニットと、
前記上ケース体ユニットと前記下ケース体ユニットの間に設置される角度調整装置と
を具備し、
前記角度調整装置は、
収容ケースと、
縦方向の軸を中心に左右に揺動可能なように前記収容ケースの内部に設置される接続モジュールと、
前記接続モジュールの内部に垂直に設置され、頂部が前記上ケース体に接続される昇降可能な縦向き桿体を有する俯仰ユニットと、
前記収容ケースに水平方向に挿設されると共に前記接続モジュールの底部に接続され、横向きに設置される横向き桿体を有する傾斜ユニットと
を有し、
前記縦向き桿体における、前記接続モジュールの頂部に近い部分は、水平かつ前記横向き桿体に垂直な回動軸に沿って前記上ケース体ユニットの下方に回動可能に設置され、前記縦向き桿体における、前記接続モジュールの底部に近い部分は、横方向に沿って移動可能に前記横向き桿体に接続する
ことを特徴とする把持角度を調整可能な入力装置。
【請求項２】
前記上ケース体ユニットには、その頂部から貫通した円筒部が設けられ、
前記縦向き桿体の頂部は、前記円筒部の内部に位置することを特徴とする請求項１に記載の把持角度を調整可能な入力装置。
【請求項３】
前記角度調整装置に対向するように前記下ケース体ユニット上の前端に設けられ、その頂部が前記上ケース体ユニットに接続される全方向回転モジュールを更に含むことを特徴とする請求項１に記載の把持角度を調整可能な入力装置。
【請求項４】
前記全方向回転モジュールは、支持部と接続ユニットとを有し、
前記支持部は球状頂部を有し、
前記接続ユニットは、前記支持部の前記球状頂部と前記上ケース体ユニットに回転可能に接続されることを特徴とする請求項３に記載の把持角度を調整可能な入力装置。
【請求項５】
前記上ケース体ユニットは、上ハーフ部と、前記上ハーフ部に接続する下ハーフ部とを有し、
前記支持部の前記球状頂部は、前記下ハーフ部を貫通し、
前記接続ユニットは、前記支持部の前記球状頂部と前記下ハーフ部とに回動可能に接続されることを特徴とする請求項４に記載の把持角度を調整可能な入力装置。
【請求項６】
前記接続ユニットの上方に設置されるタクトスイッチモジュールを更に含むことを特徴とする請求項４に記載の把持角度を調整可能な入力装置。
【請求項７】
前記接続モジュールは、
筐体部と、
前記筐体部の外周に互いに対向して設けられる一対の枢軸と
を有し、
前記俯仰ユニットは、前記筐体部の内部に回転可能に設置され、
前記収容ケースは、底ベースとトップキャップとを有し、
前記底ベースには、前記一対の枢軸を収容するための一対の枢軸孔が形成されることを特徴とする請求項６に記載の把持角度を調整可能な入力装置。
【請求項８】
前記俯仰ユニットは、前記筐体部の内部に固定されるナットを有し、
前記縦向き桿体は、前記ナットに螺合するためのねじ山を有することを特徴とする請求項７に記載の把持角度を調整可能な入力装置。
【請求項９】
前記俯仰ユニットは、前記縦向き桿体に固定される止め輪を有することを特徴とする請求項８に記載の把持角度を調整可能な入力装置。
【請求項１０】
前記接続モジュールは、前記筐体部の底部の端部から下方へ延伸してなる複数の脚部を有し、
前記傾斜ユニットは、前記複数の脚部に回転可能に接続されることを特徴とする請求項７に記載の把持角度を調整可能な入力装置。
【請求項１１】
前記傾斜ユニットは、前記複数の脚部に固定接続される案内ブロックを有し、
前記案内ブロックの中央には、ねじ孔部が形成され、
前記横向き桿体は、前記ねじ孔部の内部に螺合するためのねじ山を有することを特徴とする請求項１０に記載の把持角度を調整可能な入力装置。
【請求項１２】
前記傾斜ユニットの前記案内ブロックには、少なくとも一つのレール部が形成され、
前記収容ケースの前記底ベースには、前記少なくとも一つのレール部に対応する少なくとも一つの軌道が形成され、
前記少なくとも一つのレール部は、前記少なくとも一つの軌道上にスライド可能に設置されることを特徴とする請求項１１に記載の把持角度を調整可能な入力装置。
【請求項１３】
前記角度調整装置は、前記底ベースから上方へ突出した一対の側部位置限定ブロックを有し、
前記側部位置限定ブロック同士の間の距離は、前記案内ブロックの幅よりも大きく、
前記案内ブロックは、前記一対の側部位置限定ブロックの間に移動可能に設置され、
前記横向き桿体は、前記一対の側部位置限定ブロックの間を通過することを特徴とする請求項１１に記載の把持角度を調整可能な入力装置。
【請求項１４】
前記収容ケースの前記底ベースは、その横方向に貫通して形成され前記案内ブロックの前記ねじ孔部に対応した組立孔を有し、
前記横向き桿体は前記組立孔に挿入されることを特徴とする請求項１１に記載の把持角度を調整可能な入力装置。
【請求項１５】
装置の俯仰角度と傾斜角度を調整するための角度調整装置であって、
収容ケースと、
水平面上の回動軸を中心に前記収容ケースの内部に回動可能に設置される接続モジュールと、
前記収容ケースから露出する縦向き桿体を有し、前記縦向き桿体が垂直方向に移動可能に前記接続モジュールの内部に接続される俯仰ユニットと、
前記収容ケースを水平方向に貫通すると共に前記接続モジュールの底部に接続し、横向きに設置される横向き桿体を有し、前記接続モジュールの底部が横方向に移動可能に前記横向き桿体に接続するように構成される傾斜ユニットと
を具備することを特徴とする角度調整装置。
【請求項１６】
前記接続モジュールは、
筐体部と、
前記筐体部の外周に互いに対向して設けられる一対の枢軸と
を有し、
前記俯仰ユニットは、前記筐体部の内部に回転可能に設置され、
前記収容ケースは、底ベースとトップキャップとを有し、
前記底ベースには、前記一対の枢軸を収容するための一対の枢軸孔が形成されることを特徴とする請求項１５に記載の角度調整装置。
【請求項１７】
前記俯仰ユニットは、前記筐体部の内部に固定されるナットを有し、
前記縦向き桿体は、前記ナットに螺合するためのねじ山を有することを特徴とする請求項１６に記載の角度調整装置。
【請求項１８】
前記俯仰ユニットは、前記縦向き桿体に固定される少なくとも一つの止め輪を有し、
前記傾斜ユニットは、前記横向き桿体に固定される少なくとも一つの止め輪を有することを特徴とする請求項１７に記載の角度調整装置。
【請求項１９】
前記接続モジュールは、前記筐体部の底部の端部から下方へ延伸してなる複数の脚部を有し、
前記傾斜ユニットは、前記複数の脚部に回転可能に接続されることを特徴とする請求項１８に記載の角度調整装置。
【請求項２０】
前記傾斜ユニットは、前記複数の脚部に固定接続される案内ブロックを有し、
前記案内ブロックの中央には、ねじ孔部が形成され、
前記横向き桿体は、前記ねじ孔部の内部に螺合するためのねじ山を有することを特徴とする請求項１９に記載の角度調整装置。
【請求項２１】
前記傾斜ユニットの前記案内ブロックには、少なくとも一つのレール部が形成され、
前記収容ケースの前記底ベースには、前記少なくとも一つの前記レール部に対応する少なくとも一つの軌道が形成され、
前記少なくとも一つのレール部は、前記少なくとも一つの軌道上にスライド可能に設置されることを特徴とする請求項２０に記載の角度調整装置。
【請求項２２】
前記底ベースから上方へ突出した一対の側部位置限定ブロックを更に具備し、
前記側部位置限定ブロック同士の間の距離は、前記案内ブロックの幅よりも大きく、
前記案内ブロックは、前記一対の側部位置限定ブロックの間に移動可能に設置され、
前記横向き桿体は、前記一対の側部位置限定ブロックの間を通過することを特徴とする請求項２０に記載の角度調整装置。
【請求項２３】
前記収容ケースの前記底ベースは、その横方向に貫通して形成され前記案内ブロックの前記ねじ孔部に対応した組立孔を有し、
前記横向き桿体は前記組立孔に挿入されることを特徴とする請求項１６に記載の角度調整装置。
【発明の詳細な説明】
【技術分野】
【０００１】
本発明は、把持角度を調整可能な入力装置及び角度調整装置に関し、特にユーザーが把持角度を自由に調整できると共に、人間工学(human-factors engineering)に基づいた入力装置及び角度調整装置に関するものである。
【背景技術】
【０００２】
マウスは、コンピューターの表示装置におけるカーソルを制御する入力装置としてよく使用されている。しかし、今までの市販のマウスは、ほとんど把持角度を調整できないだけではなく、頂部にある把持部分が固定されていたため、人間工学に基づくものではない。
【０００３】
人間の手のひらの形状と大きさは人によって異なるため、マウスを操作する時、マウスの頂部にある把持部分の角度に無理に合わせなければならない。そこで、長時間が経つと、腕などに痛みを生じさせる恐れがある。
【０００４】
台湾特許公告第１２９４５８４号に係る「傾斜使用可能な入力装置の構造」には、マウスが上ケース体１と下ケース体２を含み、前記上ケース体１は少なくとも一つの支持柱１４と対応設置の二つの凸リブ１５を有し、前記下ケース体２には前記凸リブ１５と対応する微動スイッチが設けられ、前記支持柱１４が弧状頂部１４１を有し、前記下ケース体２は少なくとも一つのボルト２２を有し、前記ボルト２２が下ケース体２から前記弧状頂部１４１の軸心に沿って前記支持柱１４の内部に挿設されることによって、前記弧状頂部１４１が前記下ケース体２に当接されており、前記上ケース体１を前記下ケース体２の上にねじ締めることで、前記支持柱１４が前記下ケース体２に対して所定の角度位置に傾斜できると共に、前記二つの凸リブ１５のうちの一つの凸リブ１５が対応する前記微動スイッチをタッチしてオンさせることができる、という内容が開示されている。
【０００５】
しかしながら、上述した技術は、上ケース体１を下ケース体２に対して所定の傾斜角度に固定させることができない上に、ユーザーの腕の力で上ケース体１を傾斜角度に固定させるため、ユーザーが腕でその分の力を加えなければならなくなり、ユーザーの手首に負担をかけてしまう。
【先行技術文献】
【特許文献】
【０００６】
【特許文献１】台湾特許公告第１２９４５８４号明細書
【発明の概要】
【発明が解決しようとする課題】
【０００７】
本発明は、ユーザーが把持角度を自由に調整できると共に人間工学に基づいた入力装置を提供するべく、角度調整装置が入力装置の頂部の把持部分の前後俯仰角度及び左右傾斜角度を調整することができる、把持角度を調整可能な入力装置及び角度調整装置を提供することを課題とする。
【０００８】
また、本発明は、角度を微調整できると共に、入力装置のケースを取り外すことなく入力装置の外部から角度を直接に調整できる把持角度を調整可能な入力装置及び角度調整装置を提供することを課題とする。
【課題を解決するための手段】
【０００９】
上述の課題を解決するために、本発明の第１の形態に係る把持角度を調整可能な入力装置は、上ケース体ユニット、下ケース体ユニット及び角度調整装置を有する。前記角度調整装置は、前記上ケース体ユニットと下ケース体ユニットの間に設けられており、収容ケース、接続モジュール、俯仰ユニット及び傾斜ユニットを含む。前記接続モジュールは、縦方向の軸を中心に左右に揺動可能なように前記収容ケースの内部に設置される。前記俯仰ユニットは、前記接続モジュールの内部に垂直に設置され、頂部が前記上ケース体に接続される昇降可能な縦向き桿体を有する。前記傾斜ユニットは、前記収容ケースに水平方向に挿設されると共に前記接続モジュールの底部に接続され、横向きに設置される横向き桿体を有する。前記縦向き桿体における、前記接続モジュールの頂部に近い部分は、水平かつ前記横向き桿体に垂直な回動軸に沿って前記上ケース体ユニットの下方に回動可能に設置されており、前記縦向き桿体における、前記接続モジュールの底部に近い部分はが、横方向に沿って移動可能に前記横向き桿体に接続する。
【００１０】
これにより、ユーザーが前記縦向き桿体を昇降することによって前記上ケース体ユニットの一端の高度を変更できるため、前記上ケース体ユニットの俯仰角度を調整することができる。また、前記横向き桿体を回転することによって前記縦向き桿体の傾斜角度を調整できるため、前記上ケース体ユニットの傾斜角度を調整することができる。
【００１１】
また、上述の課題を解決するために、本発明の第２の解決方案は、装置の俯仰角度と傾斜角度を調整するためのものであり、収容ケース、接続モジュール、俯仰ユニット及び傾斜ユニットを含む角度調整装置を提供する。前記接続モジュールは、水平面上の回動軸を中心に前記収容ケースの内部に回動可能に設置される。前記俯仰ユニットは、前記収容ケースから露出する縦向き桿体を備えており、前記縦向き桿体が垂直方向に移動可能に前記接続モジュールの内部に接続される。前記傾斜ユニットは、前記収容ケースを水平方向に貫通すると共に前記接続モジュールの底部に接続し、横向きに設置される横向き桿体を有し、前記縦向き桿体が左右揺動可能なように前記横向き桿体に接続される。
【発明の効果】
【００１２】
本発明は下記の効果を有する。即ち、本発明の調整方式によれば、俯仰ユニットの縦向き桿体を調整すれば、入力装置の俯仰角度を調整でき、傾斜ユニットの横向き桿体を調整すれば、入力装置の左右傾斜角度を調整できる。また、人間工学に基づく操作状態になれるように、ユーザーが入力装置の外部から自分の手のひらに合う把持角度を直接に微調整できる。
【図面の簡単な説明】
【００１３】
【図１】本発明に係る把持角度を調整可能な入力装置の立体構造図を示す。
【図２】本発明に係る把持角度を調整可能な入力装置の立体分解図を示す。
【図３】本発明における全方向回転モジュールの立体分解図を示す。
【図４】本発明に係る角度調整装置の立体構造図を示す。
【図５】本発明に係る角度調整装置の立体分解図を示す。
【図６】本発明に係る角度調整装置の一部の縦方向の断面図を示す。
【図６Ａ】本発明に係る角度調整装置の一部の横方向の断面図を示す。
【図７Ａ】本発明に係る把持角度を調整可能な入力装置が前方へ傾く場合の後視図を示す。
【図７Ｂ】本発明に係る把持角度を調整可能な入力装置が後方へ傾く場合の後視図を示す。
【図８Ａ】本発明に係る把持角度を調整可能な入力装置が左方へ傾く場合の後視図を示す。
【図８Ｂ】本発明に係る把持角度を調整可能な入力装置が右方へ傾く場合の後視図を示す。
【発明を実施するための形態】
【００１４】
図１と図２は、本発明に係る把持角度を調整可能な入力装置の立体構造図と立体分解図をそれぞれ示す。本実施例において、マウスを本発明に係る把持角度を調整可能な入力装置の一例として説明すると、把持角度を調整可能な入力装置１０は、上ケース体ユニット１１、下ケース体ユニット１２、及び上ケース体ユニット１１と下ケース体ユニット１２の間に設置される角度調整装置２０を含む。下ケース体ユニット１２には、入力装置１０の移動を検知するための光学モジュール１８が設けられる。ここで、「把持角度」とは、ユーザーが手で入力装置を把持する際の姿勢を指しており、水平面から入力装置１０の縦方向に沿って前方又は後方へ傾く角度と、水平面から入力装置１０の横方向に沿って左方又は右方へ傾く角度と、に大きく分けられる。
【００１５】
図２に示すように、本実施例において、角度調整装置２０を入力装置１０の内部の一端に設置することによって、入力装置１０の把持角度を調整する。角度調整装置２０は俯仰ユニット２２と傾斜ユニット２６を含む。俯仰ユニット２２は昇降可能な縦向き桿体２２１を備える（図２に例示するように、縦向き桿体２２１は上向きの六角凹溝を有するボルトを備える）。縦向き桿体２２１の頂部は、上ケース体ユニット１１に接続されると共に該上ケース体ユニット１１から露出する。傾斜ユニット２６は横方向（水平方向）に設置される回転可能な横向き桿体２６１を備える（図２に例示するように、横向き桿体２６１は側面向きの六角凹溝を有するボルトを備える）。縦向き桿体２２１は左右方向に揺動可能な状態で横向き桿体２６１に接続される。角度調整装置２０の詳細については後述する。
【００１６】
図２を参照して本発明の構造を説明する。図２に示す構造によれば、ユーザーが縦向き桿体２２１を昇降することによって上ケース体ユニット１１の一端の高度を変更できるため、上ケース体ユニット１１の俯仰角度を調整できる。例えば、本実施例において、縦向き桿体２２１は上ケース体ユニット１１の後端部に接続しており、その後端部が上昇されると、入力装置１０の頂部が前方へ傾くようになる一方、その後端部が降下されると、入力装置１０の頂部が後方へ傾くようになる。
【００１７】
また、ユーザーが横向き桿体２６１を回転させることによって縦向き桿体２２１の傾斜角度を調整できるため、上ケース体ユニット１１の傾斜角度を調整できる。例えば、横向き桿体２６１を左方向（反時計回り）に回転させると、当該横向き桿体２６１に接続された縦向き桿体２２１のヘッド部が図８における右方向へ傾くことによって、入力装置１０の頂部が右方向へ傾く。一方、横向き桿体２６１を右方向（時計回り）に回転させると、当該横向き桿体２６１に接続された縦向き桿体２２１のヘッド部が図８における左方向へ傾くことによって、入力装置１０の頂部が左方向へ傾く。
【００１８】
また、図２と図３を参照して本実施例を説明する。上ケース体ユニット１１には貫通された円筒部１１０が設けられる。縦向き桿体２２１の頂部は円筒部１１０の内部にある。上ケース体ユニット１１は、上ハーフ部１１ａ及び該上ハーフ部１１ａに接続する下ハーフ部１１ｂを含む。図２に示す円筒部１１０は、その一部が上ハーフ部１１ａに設けられ、その他の一部が下ハーフ部１１ｂに設けられる。
【００１９】
本発明に係る把持角度を調整可能な入力装置１０は全方向回転モジュール１４を更に含む。全方向回転モジュール１４は、角度調整装置２０に対向するように下ケース体ユニット１２上の前端に設けられており、その頂部が上ケース体ユニット１１に接続される。全方向回転モジュール１４は、主として角度調整装置２０の角度調整に合わせて上ケース体ユニット１１の前端の角度を対応調整させるためのものである。角度調整装置２０は能動的に角度を調整するものであるのに対し、全方向回転モジュール１４は角度調整装置２０に合わせて受動的に動作するものである。
【００２０】
全方向回転モジュール１４は、支持部１４２と接続ユニット１４４を含む。支持部１４２は球状頂部１４２２を有する。接続ユニット１４４の底部には球状凹部１４４０が設けられ、当該球状凹部１４４０に支持部１４２の頂部と上ケース体ユニット１１に回転可能に接続される。
【００２１】
また、図２に示すように、把持角度を調整可能な入力装置１０は、上ケース体ユニット１１の内部にあると共に接続ユニット１４４の上方に設置されるタクトスイッチモジュール１６を更に含む。タクトスイッチモジュール１６は、ローラーや微動スイッチなどを含んでもよい。これらはマウスの分野によく使用される技術であるため、その説明を省略する。
【００２２】
また、図３に示すように、支持部１４２の球状頂部１４２２は下ハーフ部１１ｂを貫通する。接続ユニット１４４は支持部１４２の球状頂部１４２２と下ハーフ部１１ｂに回動可能に接続される。本実施例において、支持部１４２は、下ケース体ユニット１２の下方から上方へ該下ケース体ユニット１２を貫通して（例えばナット（符号を付けず）などで）固定する円筒柱１４２１を含む。球状頂部１４２２は、下ハーフ部１１ｂの上方から下方へ該下ハーフ部１１ｂの前半部１４６に形成された円孔１４６０を貫通して円筒柱１４２１に接続される。接続ユニット１４４は、下ハーフ部１１ｂの上方から球状頂部１４２２を覆い、一対のねじ１４４２で、下ハーフ部１１ｂに設けられる柱体１１１の上に固定される。また、本発明はこれに限定されるものではない。例えば、下ハーフ部１１ｂの前半部１４６は、別部材として接続ユニット１４４に接続するようにしてもよい。
【００２３】
図４と図５を参照して本実施例に係る角度調整装置２０の構造を詳細に説明する。角度調整装置２０は、収容ケース２１と、縦方向の軸（図４のＸ軸）を中心に左右に揺動可能なように収容ケース２１の内部に設置される接続モジュール２４とを更に含む。俯仰ユニット２２は接続モジュール２４の内部に垂直に設置される。傾斜ユニット２６は、収容ケース２１の横方向から水平方向に挿設され、接続モジュール２４の底部に接続される。
【００２４】
接続モジュール２４は、筐体部２４１と、筐体部２４１の外周に互いに対向して設けられる一対の枢軸２４２とを含む。俯仰ユニット２２は筐体部２４１の内部に設置される。収容ケース２１は底ベース２１２とトップキャップ２１４を含む。本実施例において、底ベース２１２は、収容空間２１０を形成するようにほぼ筒状を呈しており、その側面には一対の枢軸２４２を収容するための一対の枢軸孔２１２２が形成される。また、本実施例において、角度調整装置２０をマウスに適用するため、収容ケース２１には、光学モジュール１８を覆うように底ベース２１２から外側へ延伸してなる延伸ケース２１３が更に形成される。言い換えれば、本発明に係る角度調整装置２０をマウス以外の装置に適用する場合、延伸ケース２１３は省略されてもよい。また、底ベース２１２は入力装置１０の下ケース体ユニット１２に固定される。
【００２５】
また、俯仰ユニット２２は、筐体部２４１の内部に固定されるナット２２２を有する。縦向き桿体２２１は、ナット２２２における螺旋部２２２０に対応して螺合するためのねじ山２２１４を有する。また、俯仰ユニット２２は、縦向き桿体２２１の上下移動量を制限するように、縦向き桿体２２１に固定される一対の止め輪２２３、２２４を有する。また、一対のねじ２４６は、筐体部２４１のねじ孔２４１０を貫通してナット２２２を固定する。ユーザーは六角レンチを使用して縦向き桿体２２１のヘッド部２２１２を回すことで、上ケース体ユニット１１の俯仰角度を調整することができる。
【００２６】
また、図５を参照して詳しく説明する。本実施例において、縦向き桿体２２１を上ケース体ユニット１１に固定する方法は、接続筒部２１６によって縦向き桿体２２１を上ケース体ユニット１１の円筒部１１０に接続することである。接続筒部２１６は、円筒部１１０に一体成形してなるものであることが好ましく、接着などのその他の固定方式で円筒部１１０に接続するようにしてもよい。接続筒部２１６の内部にはストップリング（stop ring）が設けられる。接続筒部２１６の内部には固定内筒部２２５が更に設けられる。固定内筒部２２５の固定方法は、迅速で便利な方式としてプラスチック射出成形によって上ケース体ユニット１１の下ハーフ部１１ｂを形成するのと同時に埋め込む方式で接続筒部２１６の内部に直接固着することが好ましいが、接着により固着してもよい。組み立ての際は、縦向き桿体２２１を上方から下方へ固定内筒部２２５を貫通させることによって、俯仰ユニット２２を上ケース体ユニット１１に接続させる。組み立て後のものは図４に示すとおりである。
【００２７】
また、接続モジュール２４は、筐体部２４１の底部の端部から下方へ延伸してなる複数の脚部２４４を有する。傾斜ユニット２６は、それらの脚部２４４に回転可能に接続される。
【００２８】
また、図５と図６に示すように、傾斜ユニット２６は、それらの脚部２４４に固定接続される案内ブロック２６２を有する。図５に示すように、これらの脚部２４４は、案内ブロック２６２の両側面（図５に示す案内ブロック２６２の矩形通路口）にクランプして締め付けることができる。案内ブロック２６２の中央にはねじ孔部２６２２が形成される。横向き桿体２６１は、ねじ孔部２６２２の内部に螺合するためのねじ山２６１４を有する。傾斜ユニット２６は、横向き桿体２６１の左右移動量を制限するように、横向き桿体２６１に固定される少なくとも一つの止め輪２６３を有する。ユーザーが六角レンチを使用して横向き桿体２６１のヘッド部２６１２を回すことで、上ケース体ユニット１１の傾斜角度を調整することができる。傾斜ユニット２６の案内ブロック２６２には一対のレール部２６２０が形成される。収容ケース２１の底ベース２１２には、一対のレール部２６２０に対応する一対の軌道２１２４が形成される。一対のレール部２６２０は、一対の軌道２１２４の上にスライド可能に設置される。また、本発明はこれに限定されるものではない。例えば、レール部と軌道の数はそれぞれ少なくとも一つ設置されていればよい。
【００２９】
図６Ａは本発明に係る角度調整装置の一部の横方向の断面図を示す。本実施例において、案内ブロック２６２の移動量を制限するために、底ベース２１２には上方へ突出した一対の側部位置限定ブロック２１２６が形成される。案内ブロック２６２は一対の側部位置限定ブロック２１２６の間に設置される。一対の側部位置限定ブロック２１２６同士の間の距離は、案内ブロック２６２の幅よりも大きい。
【００３０】
また、図５に示すように、収容ケース２１の底ベース２１２に横方向に貫通して形成された組立孔２１２０は、案内ブロック２６２のねじ孔部２６２２に対応する。横向き桿体２６１は組立孔２１２０に挿入される。
【００３１】
本発明に係る角度調整装置２０はあらゆる装置の俯仰角度と傾斜角度の調整に適用できる。その場合、上述した入力装置の構造と同様に、俯仰ユニット２２の縦向き桿体２２１は、収容ケース２１から露出すると共に、適用されるあらゆる装置に固定接続されており、俯仰ユニット２２は接続モジュール２４の内部に垂直に設置される。傾斜ユニット２６は、収容ケース２１に水平方向に挿入されると共に接続モジュール２４の底部に接続する（その接続方法は後述する）。傾斜ユニット２６は、横方向（水平方向）に設置される回転可能な横向き桿体２６１を有する。縦向き桿体２２１は、横向き桿体２６１に左右揺動可能に接続される。これにより、ユーザーが縦向き桿体２２１を昇降させることによって装置の一端の高度を調整できるため、装置の俯仰角度を調整することができる。また、横向き桿体２６１を回転させることによって縦向き桿体２２１の傾斜角度を調整できるため、装置の傾斜角度を調整することができる。
【００３２】
本発明は少なくとも下記の特徴と功能を有する。図７Ａ、図７Ｂに示すように、ユーザーが入力装置の外部から縦向き桿体２２１を昇降することによって上ケース体ユニット１１の一端の高度を簡単に調整できると共に上ケース体ユニット１１の俯仰角度を調整することができる。図７Ａに示すように、上ケース体ユニット１１の後端部が上昇されると、入力装置の頂部が前方へ傾くようになる。一方、図７Ｂに示すように、上ケース体ユニット１１の後端部が降下されると、入力装置の頂部が後方へ傾くようになる。
【００３３】
また、図８Ａと図８Ｂに示すように、ユーザーが入力装置の外部から横向き桿体２６１を回転させることによって、縦向き桿体２２１の傾斜角度を簡単に調整でき、それにより上ケース体ユニット１１の傾斜角度を調整することができる。図８Ａに示すように、横向き桿体２６１を右方向（時計回り）に回転させることによって、縦向き桿体２２１の底部が同図の右方向へ移動すると共にそのヘッド部が左方向へ傾斜するため、入力装置の頂部は左方向へ傾くこととなる。図８Ｂに示すように、横向き桿体２６１を左方向（反時計回り）に回転させることによって、縦向き桿体２２１の底部が同図の左方へ移動すると共にそのヘッド部が方向へ傾斜するため、入力装置の頂部は右方向へ傾くこととなる。
【００３４】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００３５】
１０  入力装置
１１  上ケース体ユニット
１１ａ  上ハーフ部
１１ｂ  下ハーフ部
１１０  円筒部
１１１  柱体
１２  下ケース体ユニット
１４  全方向回転モジュール
１４２  支持部
１４２１  円筒柱
１４２２  球状頂部
１４４  接続ユニット
１４４０  球状凹部
１４４２  ねじ
１４６  前半部
１４６０  円孔
１６  タクトスイッチモジュール
１８  光学モジュール
２０  角度調整装置
２１  収容ケース
２１０  収容空間
２１２  底ベース
２１２０  組立孔
２１２２  枢軸孔
２１２４  軌道
２１２６  側部位置限定ブロック
２１３  延伸ケース
２１４  トップキャップ
２１６  接続筒部
２２  俯仰ユニット
２２１  縦向き桿体
２２１２  ヘッド部
２２１４  ねじ山
２２２  ナット
２２２０  螺旋部
２２３、２２４  止め輪
２２５  固定内筒部
２４  接続モジュール
２４１  筐体部
２４１０  ねじ孔
２４２  枢軸
２４４  脚部
２４６  ねじ
２６  傾斜ユニット
２６１  横向き桿体
２６１２  ヘッド部
２６１４  ねじ山
２６２  案内ブロック
２６３  止め輪
２６２０  レール部
２６２２  ねじ孔部
【図１】
0005409758.tif 000002
【図２】
0005409758.tif 000003
【図３】
0005409758.tif 000004
【図４】
0005409758.tif 000005
【図５】
0005409758.tif 000006
【図６】
0005409758.tif 000007
【図６Ａ】
0005409758.tif 000008
【図７Ａ】
0005409758.tif 000009
【図７Ｂ】
0005409758.tif 000010
【図８Ａ】
0005409758.tif 000011
【図８Ｂ】
0005409758.tif 000012